(57)【要約】      （修正有）【課題】入力映像の特性に応じてノイズシェーピングを行い、自然な映像が画面に表示されるように解像度を変換するための入力映像に適応的な解像度変換装置及び解像度変換方法を提供する。【解決手段】解像度変換装置は、入力映像の周波数特性を分析する映像分析部２００と、周波数特性に応じてフィルタ係数を設定するフィルタ係数決定部２２０と、フィルタ係数に応じて入力映像の量子化によって発生するエラーに対するノイズシェーピングを行うノイズシェーパー部２４０と、を含む。【選択図】図３
2007181186.tif 000002
【特許請求の範囲】
【請求項１】
入力映像の周波数特性を分析する映像分析部と、
前記周波数特性に応じてフィルタ係数を設定するフィルタ係数決定部と、
前記フィルタ係数に応じて前記入力映像の量子化によって発生するエラーに対するノイズシェーピングを行うノイズシェーパー部と、を含むことを特徴とする解像度変換装置。
【請求項２】
前記ノイズシェーパー部は、次の式を通じてノイズシェーピングを行うフィルタ部を含むことを特徴とする請求項１に記載の解像度変換装置。
【数１】
2007181186.tif 000010
（前記の式において、Ｙは出力映像、Ｘは入力映像、Ｚ−１は全域通過フィルタ、１−Ｚ−１は高域通過フィルタ、Ｎは量子化によって発生するエラーである。）
【請求項３】
前記映像分析部は、
前記入力映像から隣接したピクセルデータ間の差異値を算出する差異値算出部と、
前記差異値に対する絶対値を算出する絶対値演算部と、
前記絶対値を複数の閾値と比較する比較部と、を含むことを特徴とする請求項１に記載の解像度変換装置。
【請求項４】
前記複数の閾値によって区分された閾区間に対応するフィルタ係数がルックアップテーブルで保存された保存部と、
前記絶対値と前記複数の閾値との比較結果に応じて、前記保存部からフィルタ係数を選択する選択部と、を含むことを特徴とする請求項３に記載の解像度変換装置。
【請求項５】
入力映像から隣接したピクセルデータ間の差異値を算出する映像分析部と、
前記映像分析部で算出された前記差異値に応じて前記入力映像が通過されるオーダーを決定するオーダー決定部と、
前記オーダー決定部で決定されたオーダーに応じて前記入力映像の量子化によって発生するエラーに対するノイズシェーピングを行うノイズシェーパー部と、を含むことを特徴とする解像度変換装置。
【請求項６】
前記ノイズシェーパー部は、前記オーダーに応じて前記入力映像をバイパス及びノイズシェーピングのうちいずれか一つの動作を行うように選択する複数のスイッチを含むことを特徴とする請求項５に記載の解像度変換装置。
【請求項７】
前記オーダー決定部は、前記差異値にログ関数的に対応されるオーダーを決定することを特徴とする請求項５に記載の解像度変換装置。
【請求項８】
入力映像からエッジの方向性を分析する映像分析部と、
前記エッジの方向性に応じて、前記入力映像の量子化によって発生するエラーに対するノイズシェーピングを行う次元（ディメンション）を決定する次元決定部と、
前記次元に応じて前記ノイズシェーピングを行うノイズシェーパー部と、を含むことを特徴とする解像度変換装置。
【請求項９】
前記ノイズシェーパー部は、
前記エッジの方向が０°であると水平方向にノイズシェーピングを行う水平ノイズシェーパー部と、
前記エッジの方向が９０°であると垂直方向にノイズシェーピングを行う垂直ノイズシェーパー部と、を含むことを特徴とする請求項８に記載の解像度変換装置。
【請求項１０】
前記次元決定部は、前記エッジの方向が４５°であると２次元の斜線方向に前記ノイズシェーピングを行うように前記水平ノイズシェーパー部及び垂直ノイズシェーパー部の動作をスイッチングオンすることを特徴とする請求項９に記載の解像度変換装置。
【請求項１１】
前記ノイズシェーパー部は、時間的な方向にノイズシェーピングを行う時間的ノイズシェーパー部を更に含むことを特徴とする請求項９に記載の解像度変換装置。
【請求項１２】
入力映像の周波数特性、隣接ピクセルデータ間の差異値、及びエッジの方向性のうち少なくとも一つの特性を分析するステップと、
前記少なくとも一つの特性に応じて、量子化エラーに対するノイズシェーピングを行うステップと、を含むことを特徴とする解像度変換方法。
【請求項１３】
前記ノイズシェーピングを行うステップは、
前記周波数特性に応じてフィルタ係数を選択するステップと、
前記フィルタ係数を適用して前記量子化エラーに対するノイズシェーピングを行うステップと、を含むことを特徴とする請求項１２に記載の解像度変換方法。
【請求項１４】
前記ノイズシェーピングを行うステップは、
前記隣接ピクセルデータ間の差異値に応じて前記入力映像がノイズシェーピングされるオーダーを決定するステップと、
前記オーダーに応じて前記入力映像をバイパス及びノイズシェーピングのうちいずれか一つの動作を行うステップと、を含むことを特徴とする請求項１２に記載の解像度変換方法。
【請求項１５】
前記ノイズシェーピングを行うステップは、
前記エッジの方向性に応じて前記入力映像の量子化によって発生するエラーに対するノイズシェーピングを行う次元を決定するステップと、
前記次元に応じてノイズシェーピングを行うステップと、を含むことを特徴とする請求項１２に記載の解像度変換方法。
【発明の詳細な説明】
【技術分野】
【０００１】
本発明は入力映像に適応的な解像度変換装置及び解像度変換方法に関し、より詳細には高い解像度の映像信号を低い解像度を持つディスプレイ装置に表示するために、入力映像の特性に応じて解像度を減少させる入力映像に適応的な解像度変換装置及び解像度変換方法に関する。
【背景技術】
【０００２】
近年、ディスプレイ装置の種類及びサイズが多様化されるにつれ、入力映像を様々な解像度に変換してディスプレイ装置に表示するようになった。この際、低解像度の入力映像を高解像度のディスプレイ装置に表示するために、入力映像に対する解像度拡大を行う。そして、高解像度の入力映像を低解像度のディスプレイ装置に表示するために、入力映像に対する解像度縮小を行う。
【０００３】
特に、解像度を縮小する場合、擬似輪郭のようなノイズが発生し、不自然な映像が画面に表示される。このような不自然な映像が画面に表示されることを防止するために、従来にはトランケーション（ｔｒｕｎｃａｔｉｏｎ）技法及びディザー（ｄｉｔｈｅｒ）技法を行ってきた。
【０００４】
図１Ａないし図１Ｃは、従来の解像度変換方法を説明するための図面である。
【０００５】
図１Ａは、入力映像（入力データ）に対するトランケーション技法を行い、出力映像（出力データ）を得た結果をグラフで示したものである。従来には次の（式１）を用いて、入力映像を量子化することでトランケーション技法を行った。
【０００６】
【数２】
2007181186.tif 000003
（式１）において、Ｙ（ｉ，ｊ）は出力映像のピクセル位置を示し、Ｘ（ｉ，ｊ）は入力映像のピクセル位置を示す。
【０００７】
図１Ｂは、入力映像に対するランダムディザー技法を行い、出力映像を得た結果をグラフで示したものである。従来には次の（式２）を用いて、入力映像を量子化することでランダムディザー技法を行った。
【０００８】
【数３】
2007181186.tif 000004
（式２）において、ｒａｎｄｏｍ  ｎｏｉｓｅ（ｉ，ｊ）は（ｉ，ｊ）に位置したピクセルのノイズ値である。
【０００９】
ディザー技法には図１Ｂに示されたランダムディザー技法を始めオーダードディザー技法、及び誤差拡散ディザー（Ｅｒｒｏｒ  Ｄｉｆｆｕｓｉｏｎ  Ｄｉｔｈｅｒ）技法がある。オーダーディザー技法は、ディザーマトリックスを用いて、入力映像を閾値パターンに応じて量子化する方法である。そして、誤差拡散ディザー技法は図１Ｃに示すように、入力映像の量子化エラーを隣接ピクセルに拡散させる方法である。
【００１０】
前述したトランケーション技法を行った映像には量子化エラーによる擬似輪郭が表れる。また、ディザー技法を行った映像には擬似輪郭の発生を減少させることができるが、ディザーパターンが発生し不自然な映像が画面に表示される。これは、入力映像の特性とは関係なく、トランケーション技法やディザー技法を行うことにより表れる現象である。
【特許文献１】国際特許公開第２００２−０４８９６０号公報
【特許文献２】韓国特許公開第２００２−０１３９８３号公報
【特許文献３】韓国特許公開第２００１−０３２６０６号公報
【発明の開示】
【発明が解決しようとする課題】
【００１１】
本発明は前述の問題点を解決するために提出されたもので、本発明の目的は、画質を向上させるために入力映像の特性を分析し、入力映像の特性に応じてノイズシェ−ピングを行うことで、解像度の縮小時に発生する量子化エラーを最小化する入力映像に適応的な解像度変換装置及び解像度変換方法を提供することにある。
【課題を解決するための手段】
【００１２】
前述の目的を達成するための本発明の一実施形態に係る解像度変換装置は、入力映像の周波数特性を分析する映像分析部と、前記周波数特性に応じてフィルタ係数を設定するフィルタ係数決定部と、前記フィルタ係数に応じて前記入力映像の量子化によって発生するエラーに対するノイズシェーピングを行うノイズシェーパー部と、を含む。
【００１３】
前記ノイズシェーパー部は、次の式を通じてノイズシェーピングを行うフィルタ部を含むことを特徴とする。
【００１４】
【数４】
2007181186.tif 000005
前記の式において、Ｙは出力映像、Ｘは入力映像、Ｚ−１は全域通過フィルタ、１−Ｚ−１は高域通過フィルタ、Ｎは量子化によって発生するエラーである。
【００１５】
前記映像分析部は、前記入力映像から隣接したピクセルデータ間の差異値を算出する差異値算出部と、前記差異値に対する絶対値を算出する絶対値演算部と、前記絶対値を複数の閾値と比較する比較部と、を含む。
【００１６】
そして、本発明の一実施形態に係る解像度変換装置は、前記複数の閾値によって区分された閾区間に対応するフィルタ係数がルックアップテーブルで保存された保存部と、前記絶対値と前記複数の閾値との比較結果に応じて、前記保存部からフィルタ係数を選択する選択部と、を含む。
【００１７】
本発明の他の実施形態に係る解像度変換装置は、入力映像から隣接したピクセルデータ間の差異値を算出する映像分析部と、前記映像分析部で算出された前記差異値に応じて前記入力映像が通過されるオーダーを決定するオーダー決定部と、前記オーダー決定部で決定されたオーダーに応じて前記入力映像の量子化によって発生するエラーに対するノイズシェーピングを行うノイズシェーパー部と、を含む。
【００１８】
前記ノイズシェーパー部は、前記オーダーに応じて前記入力映像をバイパス及びノイズシェーピングのうちいずれか一つの動作を行うように選択する複数のスイッチを含むことを特徴とする。
【００１９】
前記オーダー決定部は、前記差異値にログ関数的に対応されるオーダーを決定することを特徴とする
本発明の他の実施形態に係る解像度変換装置は、入力映像からエッジの方向性を分析する映像分析部と、前記エッジの方向性に応じて、前記入力映像の量子化によって発生するエラーに対するノイズシェーピングを行う次元（ディメンション）を決定する次元決定部と、前記次元に応じて前記ノイズシェーピングを行うノイズシェーパー部と、を含む。
【００２０】
前記ノイズシェーパー部は、前記エッジの方向が０°であると水平方向にノイズシェーピングを行う水平ノイズシェーパー部と、前記エッジの方向が９０°であると垂直方向にノイズシェーピングを行う垂直ノイズシェーパー部と、を含む。
【００２１】
前記次元決定部は、前記エッジの方向が４５°であると２次元の斜線方向に前記ノイズシェーピングを行うように前記水平ノイズシェーパー部及び垂直ノイズシェーパー部の動作をスイッチングオンすることを特徴とする。
【００２２】
前記ノイズシェーパー部は、時間的な方向にノイズシェーピングを行う時間的ノイズシェーパー部を更に含むことを特徴とする。
【００２３】
一方、本発明に係る解像度変換方法は、入力映像の周波数特性、隣接ピクセルデータ間の差異値、エッジの方向性のうち少なくとも一つの特性を分析するステップと、前記少なくとも一つの特性に応じて、量子化エラーに対するノイズシェーピングを行うステップと、を含む。
【００２４】
前記ノイズシェーピングを行うステップは、前記周波数特性に応じてフィルタ係数を選択するステップと、前記フィルタ係数を適用して前記量子化エラーに対するノイズシェーピングを行うステップと、を含む。
【００２５】
前記ノイズシェーピングを行うステップは、前記隣接ピクセルデータ間の差異値に応じて前記入力映像がノイズシェーピングされるオーダーを決定するステップと、前記オーダーに応じて前記入力映像をバイパス及びノイズシェーピングのうちいずれか一つの動作を行うステップと、を含む。
【００２６】
前記ノイズシェーピングを行うステップは、前記エッジの方向性に応じて前記入力映像の量子化によって発生するエラーに対するノイズシェーピングを行う次元を決定するステップと、前記次元に応じてノイズシェーピングを行うステップと、を含む。
【発明の効果】
【００２７】
本発明によると、入力映像の特性に応じてノイズシェーピングを行い量子化エラーを最小化することで、解像度の縮小時に画質が低下しないように入力映像に適応的な解像度変換装置及び解像度変換方法を提供することができる。
【発明を実施するための最良の形態】
【００２８】
以下、添付の図面に基づいて本発明の好適な実施形態を詳述する。但し、本発明を説明するにおいて、関連する公知の構成または機能に対する具体的な説明が本発明を不明にすると判断される場合の詳細な説明は省略する。
【００２９】
図２Ａ及び図２Ｂは、本発明に用いられるノイズシェーパーをモデリングした図面である。
【００３０】
図２Ａは、第１オーダーノイズシェーパーを示す図面である。同図に示すように、本発明に用いられるノイズシェーパーは、加算器１００、フィルタ１２０、及び量子化部１４０を含む。フィルタ１２０によってフィルタリングされた入力映像信号を量子化部１４０で量子化すると、量子化によるエラーが発生する。量子化によって発生したエラーをフィードバックして加算器１００を介して入力映像からマイナス（−）演算した後、フィルタ１２０を介してフィルタリングして出力する。
【００３１】
この過程を図２Ｂのように示すことができ、加算器１６０によって量子化エラー（ｎ）が入力映像（ｘ）に加えられるようにモデリングすることができる。図２Ｂに基づいて本発明に用いられるノイズシェーパーの動作を（式３）を用いて説明する。
【００３２】
【数５】
2007181186.tif 000006
（式３）において、Ｙ（ｚ）は出力映像、Ｘ（ｚ）は入力映像、Ｎ（ｚ）は量子化によって発生するエラー、Ｈはフィルタ係数を示す、
【００３３】
【数６】
2007181186.tif 000007
で示すことができる。（式３）にフィルタ係数Ｈを適用して次の（式４）のように示すことができる。
【００３４】
【数７】
2007181186.tif 000008
（式４）に示すように、関数ｚ−１は全域通過フィルタであって入力映像は全部通過させ、関数（１−ｚ−１）は高域通過フィルタであって量子化エラーである低周波領域がフィルタリングされ出力される。
【００３５】
図３は、本発明の一実施形態に係る解像度変換装置を示す図面である。
【００３６】
同図に示すように、本解像度変換装置は、映像分析部２００、フィルタ係数決定部２２０、及びノイズシェーパー部２４０を含む。
【００３７】
映像分析部２００は入力映像の周波数特性を分析し、差異値算出部２０１、絶対値演算部２０３、及び比較部２０５を含む。
【００３８】
差異値算出部２０１は、入力映像から隣接したピクセルデータ間の差異値を算出する。つまり、第１ピクセルデータをＰ１（ｉ、ｊ）とし、それに隣接した第２ピクセルデータをＰ２（ｉ、ｊ＋１）とすると、第１ピクセルデータと第２ピクセルデータ間の差異はＰ１（ｉ、ｊ）−Ｐ２（ｉ、ｊ＋１）で示すことができる。
【００３９】
絶対値演算部２０３は、差異値算出部２０１で算出された第１ピクセルデータと第２ピクセルデータ間の差異値を演算し、絶対値である｜Ｐ１（ｉ、ｊ）−Ｐ２（ｉ、ｊ＋１）｜を出力する。
【００４０】
比較部２０５は、絶対値演算部２０３で出力された絶対値を複数の閾値と比較して比較結果を出力する。例えば、ＴＨ１＜｜Ｐ１（ｉ、ｊ）−Ｐ２（ｉ、ｊ＋１）｜＜ＴＨ２、ＴＨ２｜Ｐ１（ｉ、ｊ）−Ｐ２（ｉ、ｊ＋１）｜＜ＴＨ３、・・・であるかを判断する。
【００４１】
フィルタ係数決定部２２０は入力映像フィルタリングに用いられるフィルタ係数を決定し、保存部２２１及び選択部２２３を含む。保存部２２１には複数の閾値によって区分された閾区間に対応されるフィルタ係数が、下記の（表１）のようなルックアップテーブルの形態で保存される。
【００４２】
【表１】
2007181186.tif 000009
選択部２２３は、比較部２０５で出力された比較結果を用いて、保存部２２１に保存されたフィルタ係数を選択し、ノイズシェーパー部２４０に伝達する。つまり、ＴＨ１＜｜Ｐ１（ｉ、ｊ）−Ｐ２（ｉ、ｊ＋１）｜＜ＴＨ２であると、フィルタ係数ｃｏｆｆ＿１を選択し、ＴＨ２｜Ｐ１（ｉ、ｊ）−Ｐ２（ｉ、ｊ＋１）｜＜ＴＨ３であると、フィルタ係数ｃｏｆｆ＿２を選択する。
【００４３】
ノイズシェーパー部２４０は、量子化エラーに対するノイズシェーピングを行い、加算器２４１、フィルタ部２４３、及び量子化部２４５を含む。
【００４４】
フィルタ部２４３は、第１フィルタ部２４３ａ及び第２フィルタ部２４３ｂを含む。第１フィルタ部２４３ａは、加算器２４１から出力される信号に含まれた低周波ノイズをフィルタリングする高域通過フィルタ（ＨＰＦ）として動作する。そして、第２フィルタ部２４３ｂは、フィードバック信号を低域通過フィルタリングする低域通過フィルタ（ＬＰＦ）として動作する。
【００４５】
量子化部２４５は、低周波ノイズがフィルタリングされた入力映像信号を量子化して出力し、この時に発生した量子化ノイズはフィードバック信号で第２フィルタ部２４３ｂを通過し、加算器２４１によって入力映像信号にマイナス（−）演算され出力される。
【００４６】
ここで、第１フィルタ部２４３ａ及び第２フィルタ部２４３ｂは入力映像信号を全部通過させる全域通過フィルタ（ＡＰＦ）として作用し、量子化エラーに対する低周波ノイズをフィルタリングする高域通過フィルタとして作用する。
【００４７】
このように、入力映像から分析した隣接ピクセルデータ間の差異値が大きいと低周波ノイズを遮断するフィルタ係数を適用し、逆の場合は低周波ノイズを緩和するフィルタ係数を適用する。
【００４８】
図４は、本発明の他の実施形態に係る解像度変換装置を示す図面である。
【００４９】
同図に示すように、本発明の他の実施形態に係る解像度変換装置は、映像分析部３００、オーダー決定部３２０、及びノイズシェーパー部３４０を含む。
【００５０】
映像分析部３００は、入力映像からピクセルデータ間の差異値を算出する。つまり、第１ピクセルデータをＰ１（ｉ、ｊ）とし、それに隣接した第２ピクセルデータをＰ２（ｉ、ｊ＋１）とすると、第１ピクセルデータと第２ピクセルデータ間の差異はＰ１（ｉ、ｊ）−Ｐ２（ｉ、ｊ＋１）で示すことができる。
【００５１】
オーダー決定部３２０は、映像分析部３００で算出されたピクセルデータ間の差異値に応じて入力映像が後述するノイズシェーパー部３４０を通過するオーダーを決定する。ここで、オーダー決定部３２０は、隣接ピクセルデータ間の差異値にログ関数的に対応されるオーダーを決定する。
【００５２】
ノイズシェーパー部３４０は、決定されたオーダーに応じて入力映像の量子化によって発生するエラーに対するノイズシェーピングを行い、第１ないし第Ｎオーダー部３４１−１、３４１−２、．．．、３４１−ｎ及び量子化部３４３を含む。オーダー決定部３２０で決定されたオーダーに応じて第１ないし第Ｎオーダー部３４１−１、３４１−２、．．．、３４１−ｎのスイッチＳＷ１、ＳＷ２、．．．、ＳＷＮがオン／オフされ、スイッチＳＷ１、ＳＷ２、．．．、ＳＷＮがオンされたオーダー部３４１−１、３４１−２、．．．、３４１−ｎに備えられたフィルタＨ１、Ｈ２、．．．ＨＮ）を介して入力映像信号がフィルタリングされ出力される。
【００５３】
量子化部３４３は、フィルタリングされた入力映像信号を量子化し、この時発生した量子化エラーはフィードバックされる。
【００５４】
図５Ａ及び図５Ｂは、図４の解像度変換装置のオーダー決定方法を説明するための図面である。
【００５５】
図５Ａはオーダーに応じた周波数の応答特性を示す。同図に示すように、第１オーダー部３４１−１を通過した信号より第１オーダー部３４１−１及び第２オーダー部３４１−２を通過した信号が周波数特性がもっと良く、第２オーダー部３４１−２まで通過した信号より第１オーダー部３４１−１、第２オーダー部３４１−２、及び第３オーダー部３４１−３まで通過した信号が周波数特性がもっと良い。つまり、信号が通過するオーダー部３４１−１、３４１−２、．．．、３４１−ｎの数が多いほど周波数特性が良く、隣接ピクセルデータ間の差異値に応じて図５Ｂに示すようにログ関数的にオーダーが決定される。
【００５６】
図６は、本発明の他の実施形態に係る解像度変換装置を示す図面である。
【００５７】
同図に示すように、本発明の他の実施形態に係る解像度変換装置は、映像分析部４００、次元決定部４２０、及びノイズシェーパー部４４０を含む。
【００５８】
映像分析部４００は、入力映像からエッジの方向性を分析する。つまり、エッジの方向性が０°、９０°、又は４５°であるかを分析するか、更に細かい角度でエッジの方向性を分析することもできる。
【００５９】
次元決定部４２０は、映像分析部４００で分析したエッジの方向性に応じて、ノイズシェーピングを行う次元を決定する。つまり、エッジの方向性が０°である場合、水平方向にノイズシェーピングを行うようにし、エッジの方向性が９０°である場合、垂直方向にノイズシェーピングを行うようにする。そして、エッジの方向性が４５°である場合、２次元の斜線方向にノイズシェーピングを行うようにし、エッジの方向性が時間的な方向である場合、３次元の以前フレーム及び以後フレームに対するノイズシェーピングを行うようにする。
【００６０】
ノイズシェーパー部４４０は、決定された次元に応じて入力映像信号に対するノイズシェーピングを行い、加算器４４１、水平ノイズシェーパー部４４３、垂直ノイズシェーパー部４４５、時間的ノイズシェーパー部４４７、及び量子化部４４９を含む。
【００６１】
次元決定部４２０で決定された次元に応じて、エッジの方向性が０°である場合、第１スイッチＳＷ１がオンされ水平ノイズシェーパー部４４３によって水平方向のノイズシェーピングが行われる。そして、エッジの方向性が９０°である場合、第２スイッチＳＷ２がオンされ垂直ノイズシェーパー部４４５によって垂直方向のノイズシェーピングが行われる。また、エッジの方向性が４５°である場合、第１スイッチＳＷ１及び第２スイッチＳＷ２がオンされ水平ノイズシェーパー部４４３及び垂直ノイズシェーパー部４４５によって斜線方向のノイズシェーピングが行われる。そして、エッジの方向性が時間的な方向である場合、第３スイッチＳＷ３がオンされ時間的ノイズシェーパー部４４７によって時間的ノイズシェーピングの動作が行われる。
【００６２】
図７は、図６の解像度変換装置の次元決定方法を説明するための図面である。
【００６３】
同図に示すように、エッジの方向性の角度が０°である場合、次元決定部４２０は１次元の水平方向（１）にノイズシェーピングを行い、角度が９０°である場合、１次元の垂直方向（２）にノイズシェーピングを行い、角度が４５°である場合、２次元の斜線方向（３）にノイズシェーピングを行う。
【００６４】
図８は、本発明の全実施形態に係る解像度変換装置の動作を説明するための図面である。
【００６５】
同図に示すように、本発明の解像度変換装置は解像度がＭの映像が入力されると（Ｓ５００）、入力映像から周波数特性、隣接ピクセルデータ間の差異値、及びエッジの方向性を分析する（Ｓ５２０）。
【００６６】
そして、入力映像の分析結果に応じてフィルタ係数、オーダー、及び次元を決定する。つまり、入力映像の周波数特性を分析してフィルタ係数を決定し、隣接ピクセルデータ間の差異値を用いてノイズシェーパー部３４０のオーダーを決定し、エッジの方向性を分析してノイズシェーピングを行う次元を決定する（Ｓ５４０）
決定されたフィルタ係数、オーダー、及び次元に応じて、入力映像の量子化によって発生するエラーに対するノイズシェーピングを行い、解像度がＮの映像で出力する（Ｓ５６０）。
【００６７】
前述の過程により、入力映像の特性に応じて量子化によって発生するエラーをノイズシェーピングすることができるようになる。
【図面の簡単な説明】
【００６８】
【図１Ａ】従来の解像度変換方法を説明するための図である。
【図１Ｂ】従来の解像度変換方法を説明するための図である。
【図１Ｃ】従来の解像度変換方法を説明するための図である。
【図２Ａ】本発明に用いられるノイズシェーパーをモデリングした図である。
【図２Ｂ】本発明に用いられるノイズシェーパーをモデリングした図である。
【図３】本発明の一実施形態に係る解像度変換装置を示す図である。
【図４】本発明の他の実施形態に係る解像度変換装置を示す図である。
【図５Ａ】図４の解像度変換装置のオーダー決定方法を説明するための図である。
【図５Ｂ】図４の解像度変換装置のオーダー決定方法を説明するための図である。
【図６】本発明の他の実施形態に係る解像度変換装置を示す図である。
【図７】図６の解像度変換装置の次元決定方法を説明するための図である。
【図８】本発明の全実施形態に係る解像度変換装置の動作を説明するための図である。
【符号の説明】
【００６９】
２００      映像分析部
２０１      差異値算出部
２０３      絶対値演算部
２０５      比較部
２２０      フィルタ係数決定部
２２１      保存部
２２３      選択部
２４０      ノイズシェーパー部
２４１      加算器
２４３      フィルタ部
２４３ａ    第１フィルタ部
２４３ｂ    第２フィルタ部
２４５      量子化部
【図１Ａ】
2007181186.tif 000011
【図１Ｂ】
2007181186.tif 000012
【図１Ｃ】
2007181186.tif 000013
【図２Ａ】
2007181186.tif 000014
【図２Ｂ】
2007181186.tif 000015
【図３】
2007181186.tif 000016
【図４】
2007181186.tif 000017
【図５Ａ】
2007181186.tif 000018
【図５Ｂ】
2007181186.tif 000019
【図６】
2007181186.tif 000020
【図７】
2007181186.tif 000021
【図８】
2007181186.tif 000022